(57)【特許請求の範囲】
【請求項１】
複数の対象領域の状態を示す状態情報について、制御の目標とする値を示す設計値、および実測値を示す実績値を取得するデータ取得部と、
前記設計値を表す図形を生成し、生成した前記設計値を表す図形の位置座標に基づいて前記実績値を表す図形を生成する図形生成部と、
前記図形生成部が生成した前記設計値を表す図形および前記実績値を表す図形を、前記対象領域毎に、表示装置の同一画面内に表示する制御を行う表示制御部とを備え、
前記図形生成部は、前記設計値を表す図形と、前記実績値を表す図形との重心を一致させて重畳表示した場合に、互いの形状を区別可能な図形を用いて前記設計値を表す図形および前記実績値を表す図形を生成する表示制御装置。
【請求項２】
前記図形生成部は、表示する時間軸の単位時間毎に、前記設計値の最大値および最小値が予め設定されたパラメータの範囲内となるように前記設計値を表す図形の高さを算出し、前記時間軸の単位時間に応じて前記設計値を表す図形の幅を算出して前記設計値を表す図形を生成し、生成した前記設計値を表す図形の位置座標を算出する設計値図形生成部と、
前記時間軸の単位時間毎に、前記設計値と前記実績値との差、または前記設計値に対する前記実測値の比率に基づいて、前記設計値を表す図形の位置座標を用いて前記実績値を表す図形の位置座標を算出する実績値図形生成部とを備え、
前記表示制御部は、前記設計値図形生成部が算出した前記設計値を表す図形の位置座標と、前記実績値図形生成部が算出した前記実績値を表す図形の位置座標とに基づいて、前記対象領域毎に前記設計値を表す図形および前記実績値を表す図形を表示する制御を行うことを特徴とする請求項１記載の表示制御装置。
【請求項３】
前記実績値図形生成部は、前記設計値と前記実績値との差が予め設定した閾値よりも大きい場合に、前記設計値に対する前記実績値の比率に基づいて前記実績値を表す図形の大きさを算出することを特徴とする請求項２記載の表示制御装置。
【請求項４】
前記実績値図形生成部は、前記設計値に対する前記実績値の比率に基づいて、前記実績値を表す図形の大きさを算出することを特徴とする請求項２記載の表示制御装置。
【請求項５】
前記データ取得部は、前記設計値および前記実績値に関連する関連情報を取得し、
前記図形生成部は、時間軸の単位時間毎に、前記関連情報をいずれの条件で分析するかを示す分析基準に基づいて前記関連情報を分析し、当該分析の分析結果と予め設定されたパラメータとに基づいて前記関連情報を表す図形を生成し、当該関連情報を表す図形の位置座標を算出する関連図形生成部を備え、
前記表示制御部は、前記関連図形生成部が算出した前記関連情報を表す図形の位置座標に基づいて、前記関連情報を表す図形を前記表示装置の同一画面内に表示する制御を行うことを特徴とする請求項１または請求項２記載の表示制御装置。
【請求項６】
前記データ取得部は、複数の前記関連情報を取得し、
前記関連図形生成部は、前記複数の関連情報のうち、一方の関連情報を前記分析基準に基づいて分析した分析結果に基づいて、他方の関連情報を分析するか否かを決定し、前記他方の関連情報を前記分析基準に基づいて分析した場合に、当該他方の関連情報の分析結果に基づいて前記関連情報を表す図形を生成し、当該関連情報を表す図形の位置座標を算出することを特徴とする請求項５記載の表示制御装置。
【請求項７】
前記表示制御部は、前記関連情報を表す図形を、前記設計値を表す図形の大きさまたは前記実績値を表す図形の大きさのいずれかに応じて、予め設定された位置に配置することを特徴とする請求項５記載の表示制御装置。
【請求項８】
前記表示制御部は、前記関連情報を表す図形を、時間軸の単位時間毎または全時間の、前記設計値を表す図形の大きさまたは前記実績値を表す図形の大きさのいずれかに応じて、予め設定された位置に配置することを特徴とする請求項７記載の表示制御装置。
【請求項９】
前記図形生成部は、複数の前記対象領域における前記設計値の合計値を表す図形と、前記実績値の合計値を表す図形とを生成し、
前記表示制御部は、前記図形生成部が生成した前記複数の対象領域の設計値の合計値を表す図形および前記複数の対象領域の実績値の合計値を表す図形を、前記表示装置の同一画面内に表示する制御を行うことを特徴とする請求項１または請求項２記載の表示制御装置。
【請求項１０】
前記図形生成部は、複数の前記対象領域における前記設計値の合計値を表す図形と、前記実績値の合計値を表す図形とを生成し、
前記表示制御部は、前記図形生成部が生成した前記複数の対象領域の設計値の合計値を表す図形および前記複数の対象領域の実績値の合計値を表す図形を、前記表示装置の同一画面内に表示する制御を行うことを特徴とする請求項５記載の表示制御装置。
【請求項１１】
前記表示制御部が表示制御している前記複数の対象領域の設計値の合計値および実績値の合計値を表す図形のうち、指定された期間の図形を拡大し、指定された期間以外の図形を縮小して表示する制御を行う図形変形部を備えたことを特徴とする請求項９記載の表示制御装置。
【請求項１２】
前記表示制御部が表示制御している前記複数の対象領域の設計値の合計値および実績値の合計値を表す図形のうち、指定された期間の図形を拡大し、指定された期間以外の図形を縮小して表示する制御を行う図形変形部を備えたことを特徴とする請求項１０記載の表示制御装置。
【請求項１３】
データ取得部が、複数の対象領域の状態を示す状態情報について、制御の目標とする値を示す設計値、および実測値を示す実績値を取得するステップと、
図形生成部が、前記設計値を表す図形と、前記実績値を表す図形との重心を一致させて重畳表示した場合に、互いの形状を区別可能な図形を用いて前記設計値を表す図形を生成し、生成した前記設計値を表す図形の位置座標に基づいて前記実績値を表す図形を生成するステップと、
表示制御部が、生成された前記設計値を表す図形および前記実績値を表す図形を、前記対象領域毎に、表示装置の同一画面内に表示する制御を行うステップとを備えた表示制御方法。
【発明の詳細な説明】
【技術分野】
【０００１】
この発明は、監視対象の状態を示す情報を可視化して表示する技術に関するものである。
【背景技術】
【０００２】
監視対象の状態を示す情報を可視化して表示する技術として、例えば監視対象の消費電力を監視するシステムにおいて、消費電力を棒グラフまたは折れ線グラフで表示する技術が提供されている。
例えば、特許文献１には、需要家が使用した所定時間ごとの電力使用量の実績値を取得し、当該実績値と、予め保持された所定時間ごとの使用予定量である計画値との差分が所定の閾値を超えるか判断し、当該差分に基づいて、将来における所定時間ごとの電力使用量の予測値を算出する需給管理装置が開示されている。当該需給管理装置では、電力使用量の実績値を棒グラフで示し、使用予定量である計画値を折れ線グラフで示し、当該棒グラフと折れ線グラフとを重畳して表示し、電力使用量の実績値と予測値を比較可能に表示している。
【先行技術文献】
【特許文献】
【０００３】
【特許文献１】特開２０１８−１０２０７６号公報
【発明の概要】
【発明が解決しようとする課題】
【０００４】
上述した特許文献１に記載された需給管理装置では、電力使用量の実績値と予測値との２種類のデータを区別可能である。しかし、当該技術を、複数の領域を監視するシステム、例えばビル内の複数のエリア、またはビルの複数のフロアの消費電力を監視するシステム等に適用した場合、１つの画面内に表示するグラフの数が増加し、視認性が低下するという課題があった。
当該課題に対して、グラフを、複数の領域それぞれについて画面を切り替えて表示させることが可能であるが、複数の領域の消費電力を比較することが容易ではない。また、消費電力の実績値と予測値とを共に折れ線グラフで表示させることにより１つの画面内に複数の領域の実績値と予測値とを表示することが可能であるが、領域の数が多い場合には折れ線グラフの総数が増加し、視認性が低下する。【０００５】
この発明は、上記のような課題を解決するためになされたもので、複数の領域における、監視対象の状態を示す情報を、表示装置の同一画面内で容易に視認可能に表示することを目的とする。
【課題を解決するための手段】
【０００６】
この発明に係る表示制御装置は、複数の対象領域の状態を示す状態情報について、制御の目標とする値を示す設計値、および実測値を示す実績値を取得するデータ取得部と、設計値を表す図形を生成し、生成した設計値を表す図形の位置座標に基づいて実績値を表す図形を生成する図形生成部と、図形生成部が生成した設計値を表す図形および実績値を表す図形を、対象領域毎に、表示装置の同一画面内に表示する制御を行う表示制御部とを備え、図形生成部は、設計値を表す図形と、実績値を表す図形との重心を一致させて重畳表示した場合に、互いの形状を区別可能な図形を用いて設計値を表す図形および実績値を表す図形を生成するものである。
【発明の効果】
【０００７】
この発明によれば、複数の領域に関する、監視対象の状態を示す情報を、表示装置の同一画面内で視覚的に容易に把握可能に表示することができる。
【図面の簡単な説明】
【０００８】
【図１】実施の形態１に係る表示制御装置の構成を示すブロック図である。
【図２】図２Ａおよび図２Ｂは、実施の形態１に係る表示制御装置のハードウェア構成例を示す図である。
【図３】実施の形態１に係る表示制御装置による表示制御の一例を示す図である。
【図４】実施の形態１に係る表示制御装置の動作を示すフローチャートである。
【図５】実施の形態１に係る表示制御装置の設計値図形生成部の動作を示すフローチャートである。
【図６】実施の形態１に係る表示制御装置の実績値図形生成部の動作を示すフローチャートである。
【図７】実施の形態１に係る表示制御装置の表示制御部の動作を示すフローチャートである。
【図８】図８Ａから図８Ｇは、実施の形態１に係る表示制御装置の実績値図形生成部による処理の一例を示す図である。
【図９】図９Ａおよび図９Ｂは、実施の形態１に係る表示制御装置の表示制御の一例を示す図である。
【図１０】実施の形態２に係る表示制御装置の構成を示すブロック図である。
【図１１】図１１Ａおよび図１１Ｂは、実施の形態２に係る表示制御装置による関連情報を表す図形の配置位置を示す図である。
【図１２】実施の形態２に係る表示制御装置の動作を示すフローチャートである。
【図１３】実施の形態２に係る表示制御装置の関連図形生成部の動作を示すフローチャートである。
【図１４】図１４Ａおよび図１４Ｂは、実施の形態２に係る表示制御装置の関連図形パラメータ記憶部に記憶された図形の表示色の一例を示す図である。
【図１５】実施の形態２に係る表示制御装置の表示制御部の動作を示すフローチャートである。
【図１６】実施の形態２に係る表示制御装置の関連図形生成部のその他の動作を示すフローチャートである。
【図１７】実施の形態２に係る表示制御装置のその他の表示例を示す図である。
【図１８】実施の形態３に係る表示制御装置の構成を示すブロック図である。
【図１９】図１９Ａおよび図１９Ｂは、実施の形態３に係る表示制御装置の表示制御の一例を示す図である。
【図２０】実施の形態３に係る表示制御装置の表示制御の一例を示す図である。
【図２１】実施の形態３に係る表示制御装置の設計値図形生成部の動作を示すフローチャートである。
【図２２】実施の形態３に係る表示制御装置の実績値図形生成部の動作を示すフローチャートである。
【図２３】実施の形態３に係る表示制御装置の図形変形部の動作を示すフローチャートである。
【発明を実施するための形態】
【０００９】
以下、この発明をより詳細に説明するために、この発明を実施するための形態について、添付の図面に従って説明する。
実施の形態１．
図１は、実施の形態１に係る表示制御装置１００の構成を示すブロック図である。
表示制御装置１００は、通信部１０１と、データ取得部１０２と、データ記憶部１０３と、入力受付部１０４と、パラメータ記憶部１０５と、設計値図形生成部１０７、実績値図形生成部１０８および表示データ記憶部１０９を有する図形生成部１０６、および表示制御部１１０を備える。
【００１０】
また、表示制御装置１００は、外部装置としてデータ収集装置２０１、入力装置２０２および表示装置２０３と接続される。
データ収集装置２０１は、センサ等で計測された各種データを収集する装置である。例えば、データ収集装置２０１がビルの各種データを収集する場合、消費電力および室内外の各種データ（気温、室温、湿度、照度、快適性等）を収集する。データ収集装置２０１は、データの種類に基づいて、実績値に加え、制御の目標とする値（以下、設計値という）を収集する。なお、データ収集装置２０１は、設計値として、シミュレーションによって算出された値を用いてもよい。また、データの種類によっては、設計値は必ずしも必要なデータではないため、データ収集装置２０１は、設計値を収集しなくてもよい。
【００１１】
データ収集装置２０１は、ネットワークを介して、表示制御装置１００と接続される。ここで、ネットワークは、例えば通信ケーブル等を用いた有線通信、または各種無線通信が適用可能である。
入力装置２０２は、例えばマウス、キーボード、タッチパネルまたはＧＵＩ（Graphical User Interface）等の入力デバイスで構成される。表示装置２０３は、ディスプレイ、例えばＬＣＤ（Liquid Crystal Display）等で構成され、表示制御装置１００が生成した情報を表示する。
【００１２】
次に、表示制御装置１００の各構成について説明する。
通信部１０１は、有線／無線ＬＡＮ、Ｂｌｕｅｔｏｏｔｈ（登録商標）等の通信部であり、表示制御装置１００とデータ収集装置２０１との間で通信を行う機能を備える。
データ取得部１０２は、通信部１０１を介して、データ収集装置２０１で収集された表示対象となる領域の状態を示す情報の実績値および設計値を示すデータを取得する。
ここで、表示対象となる領域とは、例えば、部署、会議室、またはフロア等であり、以下対象領域という。また、領域の状態を示す情報とは、例えば、室温、湿度、照度、気温または快適性情報等であり、以下状態情報という。また、実績値とは、センサ等が取得した実際の室温、湿度、照度または気温等の実測値である。また、設計値とは、例えば空調または照明等の機器を使用する際に目標とする値、または推奨する値等であり、予め設定された値である。
【００１３】
データ取得部１０２は、取得した実績値および設計値を、状態情報および対象領域と対応付けて、実績値データおよび設計値データとしてデータ記憶部１０３に記憶させる。
データ記憶部１０３は、データ取得部１０２から入力された実績値データおよび設計値データを格納する領域である。
入力受付部１０４は、入力装置２０２を介してパラメータの入力を受け付ける。ここで、パラメータとは、実績値データおよび設計値データを表示装置２０３に表示する際の図形の生成、および表示方法を定義するための情報である。パラメータの詳細は、後述する。また、入力受付部１０４は、表示装置２０３に表示された情報に対してユーザ操作の入力を受け付けてもよい。
【００１４】
パラメータ記憶部１０５は、入力受付部１０４から入力されたパラメータを格納する領域である。また、パラメータ記憶部１０５は、予め設定されたパラメータで構成された設定ファイルを格納する領域である。
図形生成部１０６は、データ記憶部１０３から状態情報の実績値データおよび設計値データを取得し、パラメータ記憶部１０５からパラメータを取得する。図形生成部１０６は、互いに関連性を有する実績値を表す図形と、設計値を表す図形の２種類の図形を生成する。互いに関連性を有するとは、実績値を表す図形の位置座標が、設計値を表す図形の位置座標によって決定されることを意味する。また、互いに関連性を有するとは、時間軸の目盛の単位毎に実績値を表す図形と設計値を表す図形の重心を一致させて重畳表示した場合に、実績値を表す図形と設計値を表す図形との形状を区別可能であることを意味する。このように、実績値を表す図形と設計値を表す図形は、図形の大きさおよび包含状態が互いに関連している。
【００１５】
図形生成部１０６は、設計値図形生成部１０７、実績値図形生成部１０８および表示データ記憶部１０９を備える。
設計値図形生成部１０７は、図形生成部１０６が取得した設計値データに基づいて、対象領域に対応したパラメータを取得する。設計値図形生成部１０７は、取得したパラメータに基づいて、予め設定された単位時間毎に設計値を表す図形を生成する。なお、データ収集装置２０１によるデータ収集の周期が例えば３０分毎、１０分毎等、時間軸の単位と異なる周期で収集されている場合は、設計値図形生成部１０７は、収集データを用いて目盛の単位時間における設計値を算出する。設計値図形生成部１０７は、算出した設計値を表す図形を生成する。
設計値図形生成部１０７は、生成した設計値を表す図形の位置座標を算出する。設計値図形生成部１０７は、算出した設計値を表す図形の位置座標、時間軸の単位時間、および対象領域を表示データ記憶部１０９に記憶させると共に、実績値図形生成部１０８に出力する。
【００１６】
実績値図形生成部１０８は、パラメータに基づいて、設計値図形生成部１０７から入力された設計値を表す図形を調整する。実績値図形生成部１０８は、図形を調整した設計値と、設計値図形生成部１０７から入力された時間軸の単位時間、および対象領域を参照して実績値データで示された実績値との、比率を算出する。実績値図形生成部１０８は、算出した比率と、調整した設計値を表す図形の位置座標とに基づいて、予め設定された単位時間毎に実績値を表す図形を生成する。実績値図形生成部１０８は、生成した実績値を表す図形の位置座標を算出する。実績値図形生成部１０８は、算出した実績値を表す図形の位置座標を表示データ記憶部１０９に記憶させる。
【００１７】
表示データ記憶部１０９は、設計値図形生成部１０７から入力された設計値を表す図形の位置座標、時間軸の単位時間、および対象領域と、実績値図形生成部１０８から入力された実績値を表す図形の位置座標とを格納する記憶領域である。
【００１８】
表示制御部１１０は、表示データ記憶部１０９に格納された時間軸の単位時間、対象領域、設計値を表す図形の位置座標、および実績値を表す図形の位置座標に基づいて、設計値を表す図形および実績値を表す図形を表示装置２０３に表示するための制御を行う。表示制御部１１０は、パラメータ記憶部１０５から表示に関するパラメータを取得し、取得したパラメータに基づいて、図形を表示するための表示制御を行う。
【００１９】
表示制御部１１０は、入力受付部１０４を介して、表示条件を指定するユーザ入力を受け付けてもよい。表示条件を指定するユーザ入力は、マウス等の入力装置２０２を用いて、時間軸方向に表示するデータを変更させる操作である。また、表示条件を指定するユーザ入力は、キーボード等の入力装置２０２を用いて、時間軸上の目盛の単位を変更させる操作である。また、表示条件を指定するユーザ入力は、ＧＵＩ等の入力装置２０２を用いて、表示装置２０３に表示させる期間を変更させる操作である。
【００２０】
表示制御部１１０は、表示条件を指定するユーザ入力を受け付けると、時間軸上の目盛単位を変更し、変更した目盛単位に基づいて設計値を表す図形および実績値を表す図形を再生成し、表示装置２０３に表示するための制御を行う。
例えば、表示装置２０３に２０１８年１０月１日の８：００以降の設計値を表す図形および実績値を表す図形を表示している際に、表示制御部１１０が時間軸上の目盛単位を「１ヶ月」に変更するユーザ入力を受け付けると、例えば２０１８年１０月、１１月、１２月、・・・のように１ヶ月単位の設計値を表す図形および実績値を表す図形を再生成し表示する表示制御を行う。
【００２１】
次に、表示制御装置１００のハードウェア構成例を説明する。
図２Ａおよび図２Ｂは、実施の形態１に係る表示制御装置１００のハードウェア構成例を示す図である。
表示制御装置１００における通信部１０１は、データ収集装置２０１との間で通信を行う受信装置１００ａである。表示制御装置１００におけるデータ取得部１０２、入力受付部１０４、図形生成部１０６、設計値図形生成部１０７、実績値図形生成部１０８および表示制御部１１０の各機能は、処理回路により実現される。即ち、表示制御装置１００は、上記各機能を実現するための処理回路を備える。当該処理回路は、図２Ａに示すように専用のハードウェアである処理回路１００ｂであってもよいし、図２Ｂに示すようにメモリ１００ｄに格納されているプログラムを実行するプロセッサ１００ｃであってもよい。
【００２２】
図２Ａに示すように、データ取得部１０２、入力受付部１０４、図形生成部１０６、設計値図形生成部１０７、実績値図形生成部１０８および表示制御部１１０が専用のハードウェアである場合、処理回路１００ｂは、例えば、単一回路、複合回路、プログラム化したプロセッサ、並列プログラム化したプロセッサ、ＡＳＩＣ（Application Specific Integrated Circuit）、ＦＰＧＡ（Field-programmable Gate Array）、またはこれらを組み合わせたものが該当する。データ取得部１０２、入力受付部１０４、図形生成部１０６、設計値図形生成部１０７、実績値図形生成部１０８および表示制御部１１０の各部の機能それぞれを処理回路で実現してもよいし、各部の機能をまとめて１つの処理回路で実現してもよい。
【００２３】
図２Ｂに示すように、データ取得部１０２、入力受付部１０４、図形生成部１０６、設計値図形生成部１０７、実績値図形生成部１０８および表示制御部１１０がプロセッサ１００ｃである場合、各部の機能は、ソフトウェア、ファームウェア、またはソフトウェアとファームウェアとの組み合わせにより実現される。ソフトウェアまたはファームウェアはプログラムとして記述され、メモリ１００ｄに格納される。プロセッサ１００ｃは、メモリ１００ｄに記憶されたプログラムを読み出して実行することにより、データ取得部１０２、入力受付部１０４、図形生成部１０６、設計値図形生成部１０７、実績値図形生成部１０８および表示制御部１１０の各機能を実現する。即ち、データ取得部１０２、入力受付部１０４、図形生成部１０６、設計値図形生成部１０７、実績値図形生成部１０８および表示制御部１１０は、プロセッサ１００ｃにより実行されるときに、後述する図４から図７に示す各ステップが結果的に実行されることになるプログラムを格納するためのメモリ１００ｄを備える。また、これらのプログラムは、データ取得部１０２、入力受付部１０４、図形生成部１０６、設計値図形生成部１０７、実績値図形生成部１０８および表示制御部１１０の手順または方法をコンピュータに実行させるものであるともいえる。
【００２４】
ここで、プロセッサ１００ｃとは、例えば、ＣＰＵ（Central Processing Unit）、処理装置、演算装置、プロセッサ、マイクロプロセッサ、マイクロコンピュータ、またはＤＳＰ（Digital Signal Processor）などのことである。
メモリ１００ｄは、例えば、ＲＡＭ（Random Access Memory）、ＲＯＭ（Read Only Memory）、フラッシュメモリ、ＥＰＲＯＭ（Erasable Programmable ROM）、ＥＥＰＲＯＭ（Electrically EPROM）等の不揮発性または揮発性の半導体メモリであってもよいし、ハードディスク、フレキシブルディスク等の磁気ディスクであってもよいし、ミニディスク、ＣＤ（Compact Disc）、ＤＶＤ（Digital Versatile Disc）等の光ディスクであってもよい。
【００２５】
なお、データ取得部１０２、入力受付部１０４、図形生成部１０６、設計値図形生成部１０７、実績値図形生成部１０８および表示制御部１１０の各機能について、一部を専用のハードウェアで実現し、一部をソフトウェアまたはファームウェアで実現するようにしてもよい。このように、表示制御装置１００における処理回路１００ｂは、ハードウェア、ソフトウェア、ファームウェア、またはこれらの組み合わせによって、上述の各機能を実現することができる。
【００２６】
図３は、実施の形態１に係る表示制御装置１００による表示制御の一例を示す図である。
図３では、対象領域毎に、時間軸上の目盛の単位時間毎の消費電力の設計値および実績値を表示した場合を例に示している。状態情報は、消費電力である。対象領域は、第１の部署、第２の部署、第１の会議室、第２の会議室およびサーバ室である。時間軸の目盛の単位時間は１時間である。時間軸の上側に表示する対象領域は、第１の部署および第２の部署である。また、時間軸の下側に表示する対象領域は、第１の会議室、第２の会議室およびサーバ室である。
【００２７】
消費電力の設計値を表す図形は矩形とし、消費電力の実績値を表す図形は楕円または円としている。単位時間毎に１つの矩形と１つの楕円、または単位時間毎に１つの矩形と１つの円が表示される。
矩形の時間軸と直交する方向（以下、高さ方向という、図３における矢印Ｘ方向）の長さよりも楕円の高さ方向の長さが小さい時間帯は、消費電力の実績値が設計値よりも低いことを示している。逆に、矩形の高さ方向の長さよりも楕円の高さ方向の長さが大きい時間帯は、消費電力の実績値が設計値よりも高いことを示している。
【００２８】
パラメータ記憶部１０５が格納するパラメータの詳細について説明する。
パラメータ記憶部１０５は、入力受付部１０４を介して入力されたパラメータ、または予めパラメータが設定された設定ファイルを格納する。パラメータ記憶部１０５が格納するパラメータを以下に示す。なお、以下に示すパラメータは一例であり、適宜追加または削除が可能である。
【００２９】
対象期間パラメータ：設計値を表す図形および実績値を表す図形を生成する期間
時間軸パラメータ：表示する時間軸の目盛の単位
目盛最大個数パラメータ：表示する時間軸の目盛の最大個数
対象領域パラメータ：対象領域の単位（例えば、エリア毎に表示する、フロア毎に表示する、または建物毎に表示する等）
設計値図形パラメータ：設計値を表す図形の設定値（例えば、設計値を矩形で表示する場合、矩形の高さの最小値および最大値）
閾値パラメータ：各状態情報における設計値と実績値との差異の絶対値に対する閾値
幅オフセットパラメータ：設計値を表す図形の幅のオフセット
高さオフセットパラメータ：設計値を表す図形の高さのオフセット
表示パラメータ：設計値を表す図形および実績値を表す図形の色、表示順序、表示か非表示かの別および透過率の少なくともいずれかを設定する情報
配置パラメータ：各状態情報を時間軸に対して上側に配置するか、下側に配置するかを指定する情報
【００３０】
対象期間パラメータは、設計値を表す図形および実績値を表す図形を生成する期間（以下、対象期間という）を示すパラメータである。例えば、２０１７年１月から２０１８年３月まで等、ユーザが入力装置２０２を介して任意に設定する。
時間軸パラメータは、表示する時間軸の目盛の単位を示すパラメータである。当該パラメータは、例えば、時間、日、週、月または年等、任意である。
図３に示した表示例の場合、一日の時系列状態を表示する例であり、時間軸の目盛の単位、即ち補助線の単位は１時間である。当該目盛の単位は、２時間であっても３時間であってもよく、任意に設定可能である。また、一ヶ月の時系列状態を表示する場合には、当該目盛の単位は、１週間または２週間等、週を目盛の単位としてもよい。
目盛最大個数パラメータは、時間軸方向に表示する目盛の最大個数である。目盛最大個数パラメータは、ユーザが入力装置２０２を介して任意に設定する。時間軸パラメータが「日」である場合、ユーザは目盛最大個数パラメータとして、例えば「１４」または「３１」等と設定する。
【００３１】
対象領域パラメータは、状態情報を分析および表示する際の、領域の単位である。
図３に示した表示例の場合、対象領域の単位として「第１の部署」、「第２の部署」、「第１の会議室」、「第２の会議室」および「サーバ室」を示している。当該領域の単位は、例えばフロア毎、または建物毎に設定することも可能である。図３に示した表示例の場合、「第１の部署」、「第２の部署」、「第１の会議室」、「第２の会議室」および「サーバ室」のそれぞれが対象領域となる。領域の単位が、例えばフロア毎の場合、例えば、第１のフロア、第２のフロアおよび第３のフロア等、個々のフロアが対象領域となる。
【００３２】
設計値図形パラメータは、設計値図形生成部１０７が図形を生成する際に用いるパラメータである。設計値図形生成部１０７は、設計値図形パラメータに定義された最小値から最大値の範囲を用いて、設計値を表す図形の高さを算出する。
【００３３】
閾値パラメータは、実績値図形生成部１０８が図形を生成する際に用いるパラメータである。実績値図形生成部１０８は、設計値データと実績値データとの差異の絶対値と、当該閾値パラメータに定義された閾値との関係に基づいて、実績値を表す図形の高さを算出する。
幅オフセットパラメータおよび高さオフセットパラメータは、実績値図形生成部１０８が図形を生成する際に用いるパラメータである。
【００３４】
表示パラメータは、設計値を表す図形および実績値を表す図形の表示色を示すパラメータである。また、表示パラメータは、設計値を表す図形および実績値を表す図形を、表示するか非表示にするかを示すパラメータである。表示制御部１１０は、当該表示パラメータに基づいて、例えば設計値を表す図形のみを表示する。また、表示パラメータは、設計値を表す図形と実績値を表す図形との表示順序を示すパラメータである。表示制御部１１０は、当該パラメータに基づいて、例えば設計値を表す図形を表示した後に、実績値を表す図形を表示する。また、表示パラメータは、設計値を表す図形および実績値を表す図形の透過率を示すパラメータである。表示制御部１１０は、当該パラメータに基づいて、例えば設計値を表す図形の上に表示した実績値を表す図形を５０％透過させて表示する。
【００３５】
配置パラメータは、各対象領域を時間軸の表示に対して上側に表示するか、下側に表示するかを示すパラメータである。図３に示した表示例の場合、対象領域「第１の部署」および「第２の部署」は、時間軸の表示に対して上側に表示すると定義される。また、対象領域「第１の会議室」、「第２の会議室」および「サーバ室」は、時間軸の表示に対して下側に表示すると定義される。
【００３６】
図３に示した表示例以外にも、例えばオフィスビルにおいて、居室である各部署を時間軸の表示に対して上側に表示し、共通エリアである会議室等を時間軸の表示に対して下側に表示する。このように、対象領域の属性に基づいて、時間軸の表示に対して上側に表示するか、下側に表示するかを区別してもよい。また、対象領域がビルの各フロアである場合、例えば、対象領域である「地上１階以上の各フロア」を時間軸の表示に対して上側に表示し、「地下の各フロア」を時間軸に対して下側に表示する。なお、配置パラメータは、上述した例に限定されるものではない。
【００３７】
次に、表示制御装置１００の動作について説明する。
図４は、実施の形態１に係る表示制御装置１００の動作を示すフローチャートである。
以下では、ビルの電力消費の状態を示す情報を可視化するために、各対象領域の消費電力を表示する場合を例に説明を行う。また、パラメータは、ユーザが入力装置２０２を介して設定し、入力受付部１０４を介してパラメータ記憶部１０５に記憶させるものとする。また、設計値を表す図形として矩形図形を表示し、実績値を表す図形として楕円または円図形を表示する場合を例に説明する。
【００３８】
データ取得部１０２は、通信部１０１を介して、データ収集装置２０１が収集した、各対象領域の消費電力の設計値および実績値を取得し、データ記憶部１０３に記憶させる（ステップＳＴ１）。ステップＳＴ１において、データ取得部１０２は、取得した実績値および設計値を、状態情報および対象領域と対応付けて、実績値データおよび設計値データとしてデータ記憶部１０３に記憶させる。入力受付部１０４は、入力装置２０２を介して入力されたパラメータを取得し、パラメータ記憶部１０５に記憶させる（ステップＳＴ２）。図形生成部１０６は、データ記憶部１０３に記憶された設計値データおよび実績値データを取得し、パラメータ記憶部１０５に記憶されたパラメータを取得する（ステップＳＴ３）。
【００３９】
設計値図形生成部１０７は、ステップＳＴ３で取得されたパラメータに基づいて、消費電力の設計値を表す図形を生成する（ステップＳＴ４）。設計値図形生成部１０７は、ステップＳＴ４で生成した消費電力の設計値を表す図形の位置座標を算出し、算出した位置座標、時間軸の単位時間および対象領域を、実績値図形生成部１０８に出力すると共に、表示データ記憶部１０９に記憶させる（ステップＳＴ５）。
【００４０】
実績値図形生成部１０８は、ステップＳＴ３で取得されたパラメータおよびステップＳＴ５で出力された消費電力の設計値を表す図形の位置座標に基づいて、消費電力の実績値を表す図形を生成する（ステップＳＴ６）。実績値図形生成部１０８は、ステップＳＴ６で生成した消費電力の実績値を表す図形の位置座標を算出し、表示データ記憶部１０９に記憶させる（ステップＳＴ７）。表示制御部１１０は、表示データ記憶部１０９からステップＳＴ５およびステップＳＴ７で記憶された位置座標、時間軸の単位時間、および対象領域を取得し、消費電力の設計値を表す図形および消費電力の実績値を表す図形の表示制御を行い（ステップＳＴ８）、処理を終了する。
【００４１】
次に、図４のフローチャートで示した処理の詳細について、図５から図７のフローチャートを参照しながら説明する。
図５は、実施の形態１に係る表示制御装置１００の設計値図形生成部１０７の動作を示すフローチャートである。
図４のフローチャートのステップＳＴ４およびステップＳＴ５で示した設計値図形生成部１０７の動作の詳細について、図５を参照しながら説明する。
設計値図形生成部１０７は、図形生成部１０６が取得した設計値データに基づいて、対象領域を設定する（ステップＳＴ１１）。設計値図形生成部１０７は、図形生成部１０６が取得した対象期間パラメータおよび時間軸パラメータに基づいて、図形を生成する期間および時間軸の単位時間を設定する（ステップＳＴ１２）。
【００４２】
設計値図形生成部１０７は、各対象領域について、設計値データから、ステップＳＴ１２で設定した単位時間毎に、設計値を取得または算出する（ステップＳＴ１３）。設計値図形生成部１０７は、ステップＳＴ１３で取得した全対象領域の全設計値の中から最大値および最小値を取得する（ステップＳＴ１４）。設計値図形生成部１０７は、ステップＳＴ１４で取得した設計値の最大値および最小値が、図形生成部１０６が取得した設計値図形パラメータの範囲内となるように、単位時間毎の設計値を表す矩形の高さを算出する（ステップＳＴ１５）。設計値図形生成部１０７は、図形生成部１０６が取得した目盛最大個数パラメータに基づいて、設計値を表す矩形の幅を算出する（ステップＳＴ１６）。
【００４３】
設計値図形生成部１０７は、ステップＳＴ１５で算出した矩形の高さ、およびステップＳＴ１６で算出した矩形の幅に基づいて、設計値を表す矩形図形を生成する（ステップＳＴ１７）。設計値図形生成部１０７は、ステップＳＴ１７で生成した矩形図形の位置座標を算出し、時間軸の単位時間および対象領域と共に、表示データ記憶部１０９に記憶させると共に、実績値図形生成部１０８に出力する（ステップＳＴ１８）。
【００４４】
図６は、実施の形態１に係る表示制御装置１００の実績値図形生成部１０８の動作を示すフローチャートである。
図４のフローチャートのステップＳＴ６およびステップＳＴ７で示した実績値図形生成部１０８の動作の詳細について、図６を参照しながら説明する。
実績値図形生成部１０８は、設計値図形生成部１０７から入力された矩形図形の位置座標と、幅オフセットパラメータと、高さオフセットパラメータとに基づいて、設計値を表す矩形図形を調整する（ステップＳＴ３１）。実績値図形生成部１０８は、設計値図形生成部１０７から入力された時間軸の単位時間および対象領域を設定する（ステップＳＴ３２）。実績値図形生成部１０８は、図形生成部１０６が取得した設計値データおよび実績値データから、ステップＳＴ３２で設定した対象領域の単位時間毎の設計値および実績値を取得する（ステップＳＴ３３）。
【００４５】
実績値図形生成部１０８は、ステップＳＴ３３で取得した設計値と実績値との差の絶対値と、閾値パラメータとを比較し、設計値と実績値との差の絶対値が閾値パラメータ未満であるか否か判定を行う（ステップＳＴ３４）。設計値と実績値との差の絶対値が閾値パラメータ未満である場合（ステップＳＴ３４；ＹＥＳ）、実績値図形生成部１０８は、ステップＳＴ３１で調整した矩形図形に内接する楕円図形を生成する（ステップＳＴ３５）。一方、設計値と実績値との差の絶対値が閾値パラメータ未満でない場合（ステップＳＴ３４；ＮＯ）、実績値図形生成部１０８は、設計値と実績値との比率を算出する（ステップＳＴ３６）。
【００４６】
実績値図形生成部１０８は、設計値が実績値より大きいか否か判定を行う（ステップＳＴ３７）。設計値が実績値より大きい場合（ステップＳＴ３７；ＹＥＳ）、実績値図形生成部１０８は、ステップＳＴ３１で調整した矩形図形に内接する楕円の高さ方向の長さを、ステップＳＴ３６で算出した比率に応じて短く設定した楕円図形を生成する（ステップＳＴ３８）。一方、設計値が実績値より大きくない場合（ステップＳＴ３７；ＮＯ）、実績値図形生成部１０８は、ステップＳＴ３１で調整した矩形図形に内接する楕円の高さ方向の長さを、ステップＳＴ３６で算出した比率に応じて長く設定した楕円図形または円図形を生成する（ステップＳＴ３９）。
【００４７】
実績値図形生成部１０８は、ステップＳＴ３５、ステップＳＴ３８またはステップＳＴ３９で生成した楕円図形または円図形の位置座標を算出し、表示データ記憶部１０９に記憶させる（ステップＳＴ４０）。実績値図形生成部１０８は、処理中の対象領域の全ての時間について処理を行ったか否か判定を行う（ステップＳＴ４１）。処理中の対象領域の全ての時間について処理を行っていない場合（ステップＳＴ４１；ＮＯ）、実績値図形生成部１０８はステップＳＴ３３の処理に戻り、上述した処理を繰り返す。
【００４８】
一方、処理中の対象領域の全ての時間について処理を行った場合（ステップＳＴ４１；ＹＥＳ）、実績値図形生成部１０８は、全ての対象領域について処理を行ったか否か判定を行う（ステップＳＴ４２）。全ての対象領域について処理を行っていない場合（ステップＳＴ４２；ＮＯ）、実績値図形生成部１０８はステップＳＴ３２の処理に戻り、上述した処理を繰り返す。一方、全ての対象領域について処理を行った場合（ステップＳＴ４２；ＹＥＳ）、実績値図形生成部１０８は処理を終了する。
【００４９】
図７は、実施の形態１に係る表示制御装置１００の表示制御部１１０の動作を示すフローチャートである。
図４のフローチャートのステップＳＴ８で示した表示制御部１１０の動作の詳細について、図７を参照しながら説明する。
なお、図７の例では、表示パラメータとして、設計値を表す図形および実績値を表す図形の色、表示順序、および表示か非表示かの別を示す情報が設定されているものとする。
【００５０】
表示制御部１１０は、表示データ記憶部１０９に記憶された設計値を表す矩形図形の位置座標と、実績値を示す楕円図形または円図形の位置座標とを取得する（ステップＳＴ５１）。表示制御部１１０は、パラメータ記憶部１０５から表示パラメータおよび配置パラメータを取得する（ステップＳＴ５２）。表示制御部１１０は、ステップＳＴ５２で取得した表示パラメータに基づいて、設計値を表す矩形図形、および実績値を示す楕円図形または円図形の色、表示／非表示の別、および表示順序を設定する（ステップＳＴ５３）。表示制御部１１０は、ステップＳＴ５２で取得した配置パラメータに基づいて、各対象領域の図形を時間軸の上側に配置するか、時間軸の下側に配置するか設定する（ステップＳＴ５４）。
【００５１】
表示制御部１１０は、パラメータ記憶部１０５から対象期間パラメータ、時間軸パラメータおよび目盛最大個数パラメータを取得する（ステップＳＴ５５）。表示制御部１１０は、対象期間パラメータと時間軸パラメータを用いて、対象期間の全目盛の個数を算出する（ステップＳＴ５６）。表示制御部１１０は、ステップＳＴ５６で算出した対象期間の全目盛の個数が、目盛最大個数パラメータの値以下であるか否か判定を行う（ステップＳＴ５７）。対象期間の全目盛の個数が、目盛最大個数パラメータの値以下である場合（ステップＳＴ５７；ＹＥＳ）、表示制御部１１０は、ステップＳＴ５３およびステップＳＴ５４の設定に基づいた表示制御条件を生成して表示装置２０３に出力し（ステップＳＴ５８）、処理を終了する。
【００５２】
一方、対象期間の全目盛の個数が、目盛最大個数パラメータの値以下でない場合（ステップＳＴ５７；ＮＯ）、表示制御部１１０は、ステップＳＴ５３およびステップＳＴ５４の設定に基づいた表示制御条件を生成すると共に、表示情報を時間軸上にスクロール可能に表示する表示制御条件を生成して表示装置２０３に出力し（ステップＳＴ５９）、処理を終了する。
【００５３】
図８Ａから図８Ｇは、実施の形態１に係る表示制御装置１００の実績値図形生成部１０８による処理の具体例を示す図である。図８Ａから図８Ｇで示した処理は、上述した図６で示したフローチャートで示した処理である。
図８Ａは、実績値図形生成部１０８が幅オフセットパラメータと、高さオフセットパラメータとに基づいて、設計値を表す矩形図形を調整する例を示す図である。
時間帯が１１時から１２時であり、当該時間帯について設計値図形生成部１０７が生成した矩形図形が矩形ＡＢＣＤである。実績値図形生成部１０８は、矩形ＡＢＣＤの幅を幅オフセットパラメータで示された幅オフセット値Ｗａに基づいて小さくする調整を行う。
また、実績値図形生成部１０８は、矩形ＡＢＣＤの高さを高さオフセットパラメータで示された高さオフセット値Ｈａに基づいて小さくする調整を行う。実績値図形生成部１０８は、上述した調整により、矩形ａｂｃｄを生成する。
【００５４】
図８Ｂは、設計値と実績値との差の絶対値が閾値パラメータ未満である場合（図６のステップＳＴ３４；ＹＥＳ）に、実績値図形生成部１０８が、矩形ａｂｃｄに内接する楕円図形Ｒａを生成する例を示す図である。
【００５５】
図８Ｃは、設計値と実績値との差の絶対値が閾値パラメータ未満でない場合（図６のステップＳＴ３４；ＮＯ）、且つ設計値が実績値より大きい場合（図６のステップＳＴ３７；ＹＥＳ）に、実績値図形生成部１０８が、矩形図形に内接する楕円の高さ方向の長さを、設計値と実績値との比率に応じて短く設定した楕円図形を生成する例を示す図である。
実績値図形生成部１０８は、矩形ａｂｃｄを高さ方向に２等分する線分ＰＱ上に楕円図形Ｒｂの中心を配置する。生成された楕円図形Ｒｂは、矩形ａｂｃｄの辺ａｂおよび辺ｄｃに接するが、辺ａｄおよび辺ｂｃには接しない。このように図８Ｃの場合、生成された楕円図形Ｒｂの外周部の一部は、矩形ａｂｃｄの内側に位置する。
【００５６】
図８Ｄは、設計値と実績値との差の絶対値が閾値パラメータ未満でない場合（図６のステップＳＴ３４；ＮＯ）、且つ設計値が実績値より大きくない場合（図６のステップＳＴ３７；ＮＯ）に、実績値図形生成部１０８が、矩形図形ａｂｃｄに内接する楕円図形の高さ方向の長さを、設計値と実績値との比率に応じて長く設定した楕円図形Ｒｃを生成する例を示す図である。実績値図形生成部１０８は、矩形ａｂｃｄを高さ方向に２等分する線分ＰＱ上に楕円図形Ｒｃの中心を配置する。生成された楕円図形Ｒｃは、矩形ａｂｃｄの辺ａｂおよび辺ｄｃに接するが、辺ａｄおよび辺ｂｃには接しない。図８Ｄの場合、生成された楕円図形Ｒｃの外周部の一部は、矩形ａｂｃｄの外側に位置する。
【００５７】
図８Ａから図８Ｄでは、矩形ＡＢＣＤおよび矩形ａｂｃｄの幅が高さよりも大きい場合を示したが、矩形ＡＢＣＤおよび矩形ａｂｃｄの幅が高さよりも小さい構成としてもよい。図８Ｅから図８Ｇは、矩形ＡＢＣＤおよび矩形ａｂｃｄの幅が、高さよりも小さい場合を示す説明図である。
図８Ｅは、実績値図形生成部１０８が矩形ＡＢＣＤの幅を幅オフセットパラメータで示された幅オフセット値Ｗｂに基づいて小さくする調整を行った場合を示す。また、実績値図形生成部１０８は、矩形ＡＢＣＤの高さを高さオフセットパラメータで示された高さオフセット値Ｈｂに基づいて小さくする調整を行う。また。設計値と実績値との差の絶対値が閾値パラメータ未満である場合（図６のステップＳＴ３４；ＹＥＳ）に、実績値図形生成部１０８が、矩形ａｂｃｄに内接する楕円図形Ｒｄを生成する例を示す図である。
【００５８】
図８Ｆは、設計値と実績値との差の絶対値が閾値パラメータ未満でない場合（図６のステップＳＴ３４；ＮＯ）、且つ設計値が実績値より大きい場合（図６のステップＳＴ３７；ＹＥＳ）に、実績値図形生成部１０８が、矩形図形ａｂｃｄに内接する楕円図形の高さ方向の長さを、設計値と実績値との比率に応じて短く設定した楕円図形Ｒｅを生成する例を示す図である。実績値図形生成部１０８は、矩形ａｂｃｄを高さ方向に２等分する線分ＰＱ上に楕円Ｒｅの中心を配置する。生成された楕円図形Ｒｅは、矩形ａｂｃｄの辺ａｂおよび辺ｄｃに接するが、辺ａｄおよび辺ｂｃには接しない。このように図８Ｆの場合、生成された楕円図形Ｒｅの外周部の一部は、矩形ａｂｃｄの内側に位置する。
【００５９】
図８Ｇは、設計値と実績値との差の絶対値が閾値パラメータ未満でない場合（図６のステップＳＴ３４；ＮＯ）、且つ設計値が実績値より大きくない場合（図６のステップＳＴ３７；ＮＯ）に、実績値図形生成部１０８が、矩形図形ａｂｃｄに内接する楕円図形の高さ方向の長さを、設計値と実績値との比率に応じて長く設定した楕円図形Ｒｆを生成する例を示す図である。実績値図形生成部１０８は、矩形ａｂｃｄを高さ方向に２等分する線分ＰＱ上に楕円Ｒｆの中心を配置する。生成された楕円図形Ｒｆは、矩形ａｂｃｄの辺ａｂおよび辺ｄｃに接するが、辺ａｄおよび辺ｂｃには接しない。このように図８Ｇの場合、生成された楕円図形Ｒｆの外周部の一部は、矩形ａｂｃｄの外側に位置する。
【００６０】
上述した説明では、実績値図形生成部１０８が、設計値と実績値との差の絶対値と、閾値パラメータとを比較する構成を示したが、閾値パラメータを用いた比較を行わない構成とすることも可能である。
その場合、実績値図形生成部１０８は、設計値に対する実績値の比率を算出する（比率＝実績値／設計値）。実績値図形生成部１０８は、設計値図形生成部１０７から入力された矩形図形を、幅オフセットパラメータと、高さオフセットパラメータとに基づいて調整する。実績値図形生成部１０８は、当該調整した矩形図形（図８Ａにおける矩形ａｂｃｄ）と、算出した比率に基づいて楕円図形の長径および短径、または円図形の半径を算出し、楕円図形または円図形の位置座標を算出する。
・比率＝１．０（設計値＝実績値）の場合
実績値図形生成部１０８は、幅オフセットパラメータと、高さオフセットパラメータとに基づいて調整した矩形図形に、内接する楕円図形を生成する（例えば、図８Ｂ）。
・比率＞１．０（実績値＞設計値）の場合
実績値図形生成部１０８は、幅オフセットパラメータと、高さオフセットパラメータとに基づいて調整した矩形図形を超過する楕円図形または円図形を生成する。実績値図形生成部１０８は、生成する楕円図形の長径および短径、または円図形の半径を、比率によって決定する（例えば、図８Ｄ）。
・比率＜１．０（実績値＜設計値）の場合
実績値図形生成部１０８は、幅オフセットパラメータと、高さオフセットパラメータとに基づいて調整した矩形図形の中に納まる楕円図形または円図形を生成する。実績値図形生成部１０８は、生成する楕円図形の長径および短径、または円図形の半径を、比率によって決定する（例えば、図８Ｃ）。
【００６１】
図９Ａおよび図９Ｂは、実施の形態１に係る表示制御装置１００の表示制御の一例を示す図である。
図９Ａは、表示制御部１１０が、表示パラメータの表示／非表示の別のパラメータに基づいて、設計値を表す図形を表示し、実績値を表す図形を非表示とした場合を示している。また、表示制御部１１０が配置パラメータに基づいて、対象領域である第１の部署および第２の部署を時間軸の上側に表示し、対象領域である第１の会議室、第２の会議室およびサーバ室を時間軸の下側に表示した場合を示している。
【００６２】
図９Ｂは、表示制御部１１０が、表示パラメータの表示順序のパラメータに基づいて、実績値を表す図形を表示した後に、設計値を表す図形を表示した場合を示している。設計値を表す図形を後から表示することにより、実績値が設計値を超過した時間帯を容易に把握することができる。図９Ｂにおいて、表示制御部１１０は、表示パラメータの透過率を示すパラメータに基づいて、設計値を表す図形の透過率を変えてもよい。
【００６３】
表示制御部１１０は、入力受付部１０４を介して入力されたユーザ操作に応じて、設計値を表す図形および実績値を表す図形を時間軸方向にスクロールして表示させる制御を行ってもよい。
また、表示制御部１１０は、時間軸の単位時間を、パラメータ記憶部１０５に記憶された設定ファイルまたは入力装置２０２を介して入力されたユーザ操作に基づいて変更してもよい。
また、表示制御部１１０は、入力装置２０２を介して入力されたユーザ操作で指定された表示期間に基づいて、指定された期間全体が表示装置２０３の一画面に収まるように情報を縮小して表示させる制御を行ってもよい。
【００６４】
また、表示制御部１１０は、入力受付部１０４を介して入力されたユーザ操作に応じて、現在表示装置２０３で表示している状態情報および対象領域を変更するように構成してもよい。例えば、図３に示した表示例において、対象領域が「第１の部署」、「第２の部署」、「第１の会議室」、「第２の会議室」および「サーバ室」の５つの領域である場合に、表示制御部１１０は、ユーザ操作に応じて対象領域を「第１の部署」のみに変更する表示制御を行ってもよい。
また、図３に示した表示例において、表示制御部１１０は、対象領域をフロア単位に変更し、「１階」、「２階」および「３階」などの階毎を対象領域に変更する表示制御を行ってもよい。この場合、表示データ記憶部１０９は、フロア単位の設計値を表す図形および実績値を表す図形の位置座標を記憶しているものとする。
また、図３に示した表示例において、表示制御部１１０は、管理している複数の建物について、建物それぞれを対象領域に設定し、各建物の設計値を表す図形および実績値を表す図形を表示する制御を行ってもよい。
【００６５】
以上のように、この実施の形態１によれば、複数の対象領域の状態を示す状態情報について、制御の目標とする値を示す設計値、および実測値を示す実績値を取得するデータ取得部１０２と、設計値を表す図形を生成し、生成した設計値を表す図形の位置座標に基づいて実績値を表す図形を生成する図形生成部１０６と、生成された設計値を表す図形および実績値を表す図形を、対象領域毎に、表示装置２０３の同一画面内に表示する制御を行う表示制御部１１０とを備え、図形生成部１０６が、設計値を表す図形と、実績値を表す図形との重心を一致させて重畳表示した場合に、互いの形状を区別可能な図形を用いて設計値を表す図形および実績値を表す図形を生成するように構成した。
これにより、複数の対象領域に関する状態を示す情報を、表示装置２０３の同一画面内で視覚的に容易に把握可能に表示することができる。
【００６６】
また、この実施の形態１によれば、図形生成部１０６は、表示する時間軸の単位時間毎に、設計値の最大値および最小値が予め設定されたパラメータの範囲内となるように設計値を表す図形の高さを算出し、時間軸の単位時間に応じて設計値を表す図形の幅を算出して設計値を表す図形を生成し、生成した設計値を表す図形の位置座標を算出する設計値図形生成部１０７と、時間軸の単位時間毎に、設計値と実績値との差、または設計値に対する実測値の比率に基づいて、設計値を表す図形の位置座標を用いて実績値を表す図形の位置座標を算出する実績値図形生成部１０８とを備え、表示制御部１１０が、設計値図形生成部１０７が算出した設計値を表す図形の位置座標と、実績値図形生成部１０８が算出した実績値を表す図形の位置座標とに基づいて、対象領域毎に設計値を表す図形および実績値を表す図形を表示する制御を行うように構成した。
これにより、時間軸の単位時間毎に設計値と実績値との関係性を、小さな領域内で容易に視認可能に表示することができる。また、複数の対象領域について、設計値と実績値の時系列変化を表示装置２０３の同一画面内で容易に視認可能に表示することができる。
【００６７】
また、この実施の形態１によれば、実績値図形生成部１０８は、設計値と実績値との差が予め設定した閾値よりも大きい場合に、設計値に対する実績値の比率に基づいて実績値を表す図形の大きさを算出するように構成した。
また、この実施の形態１によれば、実績値図形生成部１０８は、設計値に対する実績値の比率に基づいて、実績値を表す図形の大きさを算出するように構成した。
これにより、時間軸の単位時間毎に設計値と実績値との関係性を、容易に視認可能に表示することができる。また、複数の対象領域について、設計値と実績値の時系列変化を容易に視認可能に表示することができる。
【００６８】
実施の形態２．
この実施の形態２では、上述した実施の形態１で示した構成に加え、設計値を表す図形および実績値を表す図形に関連する図形を表示する構成を示す。
図１０は、実施の形態２に係る表示制御装置１００Ａの構成を示すブロック図である。
実施の形態２の表示制御装置１００Ａは、実施の形態１で示した表示制御装置１００に関連図形生成部１１１および関連図形パラメータ記憶部１１２を追加して設けている。また、実施の形態１で示したデータ取得部１０２、データ記憶部１０３、図形生成部１０６、表示データ記憶部１０９および表示制御部１１０に替えて、データ取得部１０２ａ、データ記憶部１０３ａ、図形生成部１０６ａ、表示データ記憶部１０９ａおよび表示制御部１１０ａを備えて構成している。
なお、以下では、実施の形態１に係る表示制御装置１００の構成要素と同一または相当する構成には、実施の形態１で使用した符号と同一の符号を付して説明を省略または簡略化する。
【００６９】
データ取得部１０２ａは、実施の形態１で示した構成に加え、さらに設計値および実績値に関連する情報（以下、関連情報という）を取得する。ここで、設計値および実績値に関連する情報とは、例えば表示制御装置１００Ａが対象領域の消費電力を示す設計値および実績値を表示する制御を行う場合に、対象領域の快適度を示す情報、気温を示す情報、対象領域に存在する人の数を示す情報等である。データ取得部１０２ａは、取得した関連情報を対象領域と対応付けて、関連データとしてデータ記憶部１０３ａに記憶させる。
データ記憶部１０３ａは、実施の形態１で示した実績値データおよび設計値データに加え、データ取得部１０２ａから入力された関連データを格納する領域である。
【００７０】
図形生成部１０６ａは、設計値図形生成部１０７、実績値図形生成部１０８および表示データ記憶部１０９ａに加えて関連図形生成部１１１を備える。
関連図形生成部１１１は、設計値図形生成部１０７から入力された時間軸の単位時間、および対象領域の情報を参照し、対象領域および時間軸の単位時間を設定する。関連図形生成部１１１は、データ記憶部１０３ａから取得した関連データを、設定した単位時間毎に、関連図形パラメータ記憶部１１２に記憶された分析基準に基づいて分析する。関連図形生成部１１１は、関連データの分析結果と、関連図形パラメータ記憶部１１２から取得した関連図形の表示パラメータとに基づいて、関連情報を表す図形を生成する。関連図形生成部１１１は、設計値図形生成部１０７から入力された設計値を表す図形の位置座標に基づいて関連情報を表す図形の位置座標を算出する。関連図形生成部１１１は、算出した関連情報を表す図形の位置座標を、表示データ記憶部１０９ａに記憶させる。
【００７１】
表示データ記憶部１０９ａは、実施の形態１で示した設計値を表す図形の位置座標、実績値を表す図形の位置座標、時間軸の単位時間、および対象領域に加えて、関連情報を表す図形の位置座標を格納する記憶領域である。
関連図形パラメータ記憶部１１２は、関連データをどのように分析するかを設定した分析基準、関連情報を表す図形の表示パラメータ、および関連情報を表す図形の配置パラメータを格納する領域である。ここで、分析基準とは、時間軸の単位時間毎に関連データをどのような条件で分析するかを示す情報である。例えば、時間軸の単位時間が１時間である場合に、分析基準として、関連データの１時間毎の平均値、最大値または最小値のいずれかを算出し、算出した値を分析することを示す情報が記憶される。
【００７２】
また、関連図形の表示パラメータは、関連情報を表す図形の形状、関連情報を表す図形の大きさ、および関連情報を表す図形の表示色を設定する情報である。また、関連図形の配置パラメータは、関連情報を表す図形の配置位置を示す情報である。関連図形の配置パラメータは、例えば、関連情報を表す図形を、対象領域毎に、単位時間毎に設計値を表す図形または実績値を表す図形のいずれかの図形の最も下側に配置するための情報である。
【００７３】
関連図形パラメータ記憶部１１２は、入力受付部１０４を介して入力されたパラメータ、または予めパラメータが設定された設定ファイルを格納する。
表示制御部１１０ａは、表示データ記憶部１０９ａに格納された設計値を表す図形の位置座標、実績値を表す図形の位置座標、関連情報を表す図形の位置座標、時間軸の単位時間、および対象領域に基づいて、設計値を表す図形、実績値を表す図形および関連情報を表す図形を表示装置２０３に表示するための制御を行う。表示制御部１１０ａは、パラメータ記憶部１０５から取得した表示パラメータおよび配置パラメータと、関連図形パラメータ記憶部１１２から取得した関連図形の表示パラメータおよび関連図形の配置パラメータとに基づいて、図形を表示するための表示制御を行う。
【００７４】
表示制御装置１００Ａのハードウェア構成例を説明する。なお、実施の形態１と同一の構成の説明は省略する。
表示制御装置１００Ａにおけるデータ取得部１０２ａ、図形生成部１０６ａ、表示制御部１１０ａおよび関連図形生成部１１１は、図２Ａで示した処理回路１００ｂ、または図２Ｂで示したメモリ１００ｄに格納されるプログラムを実行するプロセッサ１００ｃである。
【００７５】
図１１は、実施の形態２に係る表示制御装置１００Ａによる関連情報を表す図形の配置位置を示す図である。
表示制御部１１０ａは、関連情報を表す図形を、設計値を表す図形の大きさまたは実績値を表す図形の大きさのいずれかに応じて、予め設定された位置に配置する。また、関連情報を表す図形の形状は、パラメータに基づいて、設計値を表す図形および実績値を表す図形の形状とは異なる形状が設定される。
図１１Ａは、関連情報を表す図形である線分を、単位時間毎に設計値を表す図形の最も下側に配置した場合を示す図である。図１１Ａでは、単位時間毎に設計値を表す図形の大きさが異なるため、関連情報を表す図形を配置する位置が時間帯に応じて異なる。関連図形生成部１１１は、線分Ｌ１を８：００から１０：３０の時間帯に設計値を表す図形の最も下側に配置している。同様に、関連図形生成部１１１は、線分Ｌ２を１０：３０から１２：３０の時間帯に設計値を表す図形の最も下側に配置している。
【００７６】
図１１Ｂは、関連情報を表す図形である線分を、全ての時間帯の中で最大の設計値を表す図形の最も下側で延ばして配置した場合を示す図である。関連図形生成部１１１は、線分Ｌ３を８：００から１２：３０の時間帯に、全ての設計値を表す図形のうち高さが最大の図形の最も下側で延ばして配置している。
なお、図１１Ａおよび図１１Ｂにおいて、実績値を表す図形の大きさが設計値を表す図形の大きさよりも大きい場合、実績値を表す図形の大きさに応じて、関連情報を表す図形である線分を、予め設定された位置、例えば実績値を表す図形の最も下側に配置するように構成してもよい。
なお、関連図形生成部１１１は、関連情報を表す図形である線分を、設計値を表す図形または実績値を表す図形の上から描画することも可能である。
【００７７】
次に、表示制御装置１００Ａの動作について説明する。
図１２は、実施の形態２に係る表示制御装置１００Ａの動作を示すフローチャートである。
図１２において、図４で示した実施の形態１のフローチャートと同一のステップには同一の符号を付し、説明を省略する。
データ取得部１０２ａは、通信部１０１を介して、データ収集装置２０１が収集した、各対象項目の消費電力の設計値、各対象項目の消費電力の実績値、当該設計値および当該実績値の関連情報を取得し、データ記憶部１０３に記憶させる（ステップＳＴ６１）。
【００７８】
表示制御装置１００Ａが、ステップＳＴ２からステップＳＴ７の処理を行った後、関連図形生成部１１１は、データ記憶部１０３ａから関連データを取得し、関連図形パラメータ記憶部１１２に格納された分析基準に基づいて取得した関連データを分析する（ステップＳＴ６２）。関連図形生成部１１１は、ステップＳＴ６２で得られた分析結果に基づいて、関連情報を表す図形を生成する（ステップＳＴ６３）。関連図形生成部１１１は、ステップＳＴ６３で生成した関連情報を表す図形の位置座標を算出し、表示データ記憶部１０９ａに記憶させる（ステップＳＴ６４）。表示制御部１１０ａは、表示データ記憶部１０９ａからステップＳＴ５、ステップＳＴ７およびステップＳＴ６４で記憶された位置座標、時間軸の単位時間、および対象領域を取得し、消費電力の設計値を表示する図形、消費電力の実績値を表示する図形、および関連情報を表す図形の表示制御を行い（ステップＳＴ６５）、処理を終了する。
【００７９】
次に、図１２のフローチャートのステップＳＴ６２からステップＳＴ６４で示した関連図形生成部１１１の動作について説明する。
図１３は、実施の形態２に係る表示制御装置１００Ａの関連図形生成部１１１の動作を示すフローチャートである。
以下では、関連図形生成部１１１が、関連情報を表す図形として、対象領域の快適性指数を示すＰＭＶ（Predicted Mean Vote：予測温冷感申告）を表す図形を生成する場合を例に示す。
【００８０】
関連図形生成部１１１は、設計値図形生成部１０７から入力された時間軸の単位時間、および対象領域の情報を参照し、対象領域および時間軸の単位時間を設定する（ステップＳＴ７１）。関連図形生成部１１１は、データ記憶部１０３ａから関連情報として対象領域のＰＭＶを示す情報を取得する（ステップＳＴ７２）。関連図形生成部１１１は、関連図形パラメータ記憶部１１２に記憶された分析基準に基づいて、対象領域の単位時間毎のＰＭＶを分析する（ステップＳＴ７３）。例えば、分析基準が単位時間毎のＰＭＶの平均値である場合、関連図形生成部１１１は、現在処理中の対象領域が「第１の部署」であり、現在処理中の時間帯が「１１時から１２時」である場合に、１１時から１２時における第１の部署のＰＭＶの平均値を算出する。
【００８１】
関連図形生成部１１１は、ステップＳＴ７３の分析結果と、関連図形パラメータ記憶部１１２に記憶された関連図形の表示パラメータとに基づいて、関連情報を表す線分図形を生成し、当該線分図形の表示色を設定する（ステップＳＴ７４）。関連図形生成部１１１は、ステップＳＴ７４で生成した関連情報を表す線分図形の位置座標を算出する（ステップＳＴ７５）。関連図形生成部１１１は、ステップＳＴ７５で算出した関連情報を表す線分図形の位置座標と、当該線分図形の色情報を表示データ記憶部１０９ａに記憶させる（ステップＳＴ７６）。関連図形生成部１１１は、処理中の対象領域の全ての時間について処理を行ったか否か判定を行う（ステップＳＴ７７）。処理中の対象領域の全ての時間について処理を行っていない場合（ステップＳＴ７７；ＮＯ）、関連図形生成部１１１は、ステップＳＴ７３の処理に戻り、上述した処理を繰り返す。
【００８２】
一方、全ての時間について処理を行った場合（ステップＳＴ７７；ＹＥＳ）、関連図形生成部１１１は、全ての対象領域について処理を行ったか否か判定を行う（ステップＳＴ７８）。全ての対象領域について処理を行っていない場合（ステップＳＴ７８；ＮＯ）、関連図形生成部１１１はステップＳＴ７１の処理に戻り、上述した処理を繰り返す。一方、全ての対象領域について処理を行った場合（ステップＳＴ７８；ＹＥＳ）、関連図形生成部１１１は処理を終了する。
【００８３】
上述した図１３のフローチャートのステップＳＴ７４で示した線分図形の表示色の設定についてより詳細に説明する。
関連図形生成部１１１は、ＰＭＶの値毎に予め設定された図形の表示色の情報を参照し、ステップＳＴ７３で分析したＰＭＶの値に基づいて線分図形の表示色を設定する。予め設定された図形の表示色の情報は、関連図形パラメータ記憶部１１２に記憶されているものとする。予め設定された表示色の情報の一例を、図１４に示す。
【００８４】
図１４は、実施の形態２に係る表示制御装置１００Ａの関連図形パラメータ記憶部１１２に記憶された図形の表示色の一例を示す図である。
図１４Ａでは、７段階のＰＭＶ値１４１と、当該ＰＭＶ値に対応した温冷感の程度を示す情報１４２と、当該ＰＭＶ値に対応した図形の表示色１４３とを関連付けている。ＰＭＶ値１４１が「＋３」である場合、温冷感の程度を示す情報１４２は「かなり暑い」であり、図形を表示色１４３ａに設定することを示している。図１４Ａでは、７段階のＰＭＶ値に対応付けて、表示色を７段階に変化させる場合を示したが、ＰＭＶ値および表示色の段階数は任意に設定可能である。
【００８５】
図１４Ｂは、ＰＭＶ値の大きさに対応させて、表示色を５段階に変化させる場合の例を示している。また、図１４Ａおよび図１４Ｂで示した各段階の表示色の色、例えばＲＧＢの値は任意に設定可能である。
【００８６】
図１５は、実施の形態２に係る表示制御装置１００Ａの表示制御部１１０ａの動作を示すフローチャートである。
図１２のフローチャートのステップＳＴ６５で示した表示制御部１１０ａの動作の詳細について、図１５を参照しながら説明する。
なお、図１５において、図７で示した実施の形態１のフローチャートと同一のステップには同一の符号を付し、説明を省略する。
また、図１５の例では、表示パラメータとして、設計値を表す図形および実績値を表す図形の色、表示順序、および表示か非表示かの別を示す情報が設定されているものとする。また、配置パラメータとして、設計値を表す図形および実績値を表す図形の配置、および関連情報を表す図形の配置を示す情報が設定されているものとする。
【００８７】
表示制御部１１０ａは、表示データ記憶部１０９ａに記憶された設計値を表す矩形図形の位置座標と、実績値を示す楕円図形または円図形の位置座標と、関連情報を表す線分図形の位置座標とを取得する（ステップＳＴ８１）。表示制御部１１０ａは、パラメータ記憶部１０５ａから設計値を表す図形および実績値を表す図形の表示パラメータおよび配置パラメータを取得する（ステップＳＴ５２）。表示制御部１１０ａは、関連図形パラメータ記憶部１１２から関連情報を表す図形の配置パラメータを取得する（ステップＳＴ８２）。表示制御部１１０ａは、ステップＳＴ５２で取得した表示パラメータに基づいて、設計値を表す矩形図形、および実績値を示す楕円図形または円図形の色、表示／非表示の別、および表示順序を設定する（ステップＳＴ５３）。
【００８８】
表示制御部１１０ａは、ステップＳＴ５２で取得した配置パラメータに基づいて、各対象領域を時間軸の上側に配置するか、時間軸の下側に配置するか設定する（ステップＳＴ５４）。表示制御部１１０ａは、ステップＳＴ８２で取得した配置パラメータに基づいて、関連情報の配置位置を設定する（ステップＳＴ８３）。
【００８９】
表示制御部１１０は、パラメータ記憶部１０５から対象期間パラメータ、時間軸パラメータおよび目盛最大個数パラメータを取得する（ステップＳＴ５５）。表示制御部１１０は、対象期間パラメータと時間軸パラメータを用いて、対象期間の全目盛の個数を算出する（ステップＳＴ５６）。表示制御部１１０は、ステップＳＴ５６で算出した対象期間の全目盛の個数が、目盛最大個数パラメータの値以下であるか否か判定を行う（ステップＳＴ５７）。対象期間の全目盛の個数が、目盛最大個数パラメータの値以下である場合（ステップＳＴ５７；ＹＥＳ）、表示制御部１１０は、ステップＳＴ５３、ステップＳＴ５４およびステップＳＴ８３の設定に基づいた表示制御条件を生成して表示装置２０３に出力し（ステップＳＴ８４）、処理を終了する。
【００９０】
一方、対象期間の全目盛の個数が、目盛最大個数パラメータの値以下でない場合（ステップＳＴ５７；ＮＯ）、表示制御部１１０は、ステップＳＴ５３、ステップＳＴ５４およびステップＳＴ８３の設定に基づいた表示制御条件を生成すると共に、表示情報を時間軸上にスクロール可能に表示する表示制御条件を生成して表示装置２０３に出力し（ステップＳＴ８５）、処理を終了する。
【００９１】
上述した図１３のフローチャートでは、関連図形生成部１１１は、１つの関連情報として快適性指数を示すＰＭＶのみを分析する場合を示したが、２つ以上の関連情報を分析してもよい。例えば、対象領域の快適性は人が存在する領域にとって重要な指標となるため、関連図形生成部１１１は、人が存在する時間帯のみＰＭＶを表す図形を生成する。関連図形生成部１１１が、対象領域に存在する人の数を示す情報（一方の関連情報）、および対象領域の快適度を示す情報（他方の関連情報）を分析し、関連情報を表す図形を生成する処理を以下に示す。
【００９２】
図１６は、実施の形態２に係る表示制御装置１００Ａの関連図形生成部１１１のその他の動作を示すフローチャートである。
図１６において、図１３で示したフローチャートと同一のステップには同一の符号を付し、説明を省略する。
関連図形生成部１１１は、設計値図形生成部１０７から入力された時間軸の単位時間および対象領域の情報を参照し、時間軸の単位および対象領域を設定する（ステップＳＴ７１）。関連図形生成部１１１は、データ記憶部１０３ａから関連情報として対象領域の人の数を示す情報を取得する（ステップＳＴ９１）。関連図形生成部１１１は、関連図形パラメータ記憶部１１２に記憶された分析基準に基づいて、対象領域の単位時間毎の人の数を分析する（ステップＳＴ９２）。例えば、分析基準が単位時間毎の人の数の平均値である場合、関連図形生成部１１１は、現在処理中の対象領域が「第１の部署」であり、現在処理中の時間帯が「１１時から１２時」である場合に、１１時から１２時における第１の部署の人の数の平均値を算出する。
【００９３】
関連図形生成部１１１は、ステップＳＴ９２の分析結果を参照し、処理対象の時間帯に対象領域に人が存在しているか否か判定を行う（ステップＳＴ９３）。人が存在していない場合（ステップＳＴ９３；ＮＯ）、関連図形生成部１１１はステップＳＴ７７の処理に進む。一方、人が存在している場合（ステップＳＴ９３；ＹＥＳ）、関連図形生成部１１１はステップＳＴ７２からステップＳＴ７４の処理を行う。次に、関連図形生成部１１１は、ステップＳＴ９２の分析結果に基づいて、ステップＳＴ７４で生成した線分図形の太さを設定する（ステップＳＴ９４）。ステップＳＴ９４の処理では、例えば、関連図形パラメータ記憶部１１２に、対象領域に存在する人の数に応じて線分図形の太さの値を設定した情報を格納しておく。当該情報は、対象領域に存在する人の数が１から５人の場合には線分図形の太さを２ｐｔとし、人の数が６から１０人の場合には線分図形の太さを４ｐｔとする等、人の数が多いほど線分図形が太くなるように設定しておく。関連図形生成部１１１は、関連図形パラメータ記憶部１１２に記憶された線分図形の太さの値を設定した情報を参照して、線分図形の太さを設定する。
【００９４】
関連図形生成部１１１は、ステップＳＴ９４で太さを設定した関連情報を表す線分図形の位置座標を算出する（ステップＳＴ９５）。関連図形生成部１１１は、ステップＳＴ９５で算出した関連情報を表す線分図形の位置座標と、ステップＳＴ７４で設定した当該線分図形の色情報を表示データ記憶部１０９ａに記憶させる（ステップＳＴ７６）。関連図形生成部１１１は、処理中の対象領域の全ての時間について処理を行ったか否か判定を行う（ステップＳＴ７７）。処理中の対象領域の全ての時間について処理を行っていない場合（ステップＳＴ７７；ＮＯ）、関連図形生成部１１１はステップＳＴ９２の処理に戻り、上述した処理を繰り返す。
【００９５】
一方、全ての時間について処理を行った場合（ステップＳＴ７７；ＹＥＳ）、関連図形生成部１１１は、全ての対象領域について処理を行ったか否か判定を行う（ステップＳＴ７８）。全ての対象領域について処理を行っていない場合（ステップＳＴ７８；ＮＯ）、関連図形生成部１１１はステップＳＴ７１の処理に戻り、上述した処理を繰り返す。一方、全ての対象領域について処理を行った場合（ステップＳＴ７８；ＹＥＳ）、関連図形生成部１１１は処理を終了する。
なお、上述したステップＳＴ９４で示した線分図形の太さを設定する処理は、必須の処理ではなく省略してもよい。
【００９６】
上述した図１６のフローチャートで生成された関連情報を表す図形を表示する制御を行う処理は、図１５のフローチャートで示した処理動作と同一であるため説明を省略する。図１６のフローチャートに従って関連情報を表す図形を表示した場合の表示例を図１７に示す。
図１７は、実施の形態２に係る表示制御装置１００Ａのその他の表示例を示す図である。
図１７では、関連情報を表す線分図形を、単位時間毎に設計値を表す図形の最も下側に配置している。また、関連情報を表す線分図形は快適度を線分の色の変化で示し、対象領域に存在する人の数に応じて配置され、人の数に応じて太さが決定されている。
【００９７】
図１７で示した対象領域「第１の会議室」に関する表示は、以下の内容を示している。
・１１時から１８時の時間帯は、存在する人の数が「０」である
・１８時から２０時の時間帯は、実績値が設計値未満であるが、ＰＭＶ値が「＋３」であり、温冷感はかなり暑い状態である
なお、「かなり暑い」との温冷感の情報は、図１４Ａに示した温冷感の程度を示す情報１４２に基づいて得られる。また、当該温冷感の情報に基づいて、線分の色が決定されている。
・１１時から１３時の時間帯は、実績値が設計値を予め設定した閾値以上超過している状態である
図１７に示したように、関連図形生成部１１１は、対象領域において、人が存在する時間のみ、関連情報を表す図形を生成するため、ユーザにとって必要となる情報を適切に表示することができる。
【００９８】
なお、上述した説明では、２つ関連情報、ＰＭＶおよび人の数を示す情報を分析して関連情報を表す図形を生成する処理を例に示したが、関連情報は２つに限定されるものではなく、またＰＭＶおよび人の数を示す情報に限定されるものではない。
【００９９】
以上のように、この実施の形態２によれば、データ取得部１０２ａが、設計値および実績値に関連する関連情報を取得し、図形生成部１０６ａが、時間軸の単位時間毎に、関連情報をいずれの条件で分析するかを示す分析基準に基づいて関連情報を分析し、当該分析の分析結果と予め設定されたパラメータとに基づいて関連情報を表す図形を生成し、当該関連情報を表す図形の位置座標を算出する関連図形生成部１１１を備え、表示制御部１１０ａが、算出された関連情報を表す図形の位置座標に基づいて、関連情報を表す図形を表示装置２０３の同一画面内に表示する制御を行うように構成した。
これにより、関連情報を表す図形を、設計値を表す図形および実績値を表す図形に加えて関連情報を表す図形を同一時間軸上に表示することができる。また、複数の対象領域について、設計値および実績値と、関連情報との時系列変化を、表示装置の同一画面内で容易に把握することができる。
【０１００】
また、この実施の形態２によれば、データ取得部１０２ａが、複数の関連情報を取得し、関連図形生成部１１１が、複数の関連情報のうち、一方の関連情報を分析基準に基づいて分析した分析結果に基づいて、他方の関連情報を分析するか否かを決定し、他方の関連情報を分析基準に基づいて分析した場合に、当該他方の関連情報の分析結果に基づいて関連情報を表す図形を生成し、当該関連情報を表す図形の位置座標を算出するように構成した。
これにより、ユーザにとって有用な関連情報を適切に表示することができる。
【０１０１】
また、この実施の形態２によれば、表示制御部１１０ａが、関連情報を表す図形を、設計値を表す図形の大きさまたは実績値を表す図形の大きさのいずれかに応じて、予め設定された位置に配置するように構成した。
これにより、関連情報を容易に視認可能に表示することができる。
【０１０２】
また、この実施の形態２によれば、表示制御部１１０ａは、関連情報を表す図形を、時間軸の単位時間毎または全時間の、設計値を表す図形の大きさまたは実績値を表す図形の大きさのいずれかに応じて、予め設定された位置に配置するように構成した。
これにより、関連情報を容易に視認可能に表示することができる。
【０１０３】
なお、上述した実施の形態２では、関連図形生成部１１１が対象領域に存在する人の数に応じて関連情報を表す図形を生成する動作例を示した。しかし、当該動作に限定されるものではなく、関連図形生成部１１１が全ての時間帯について関連情報を表す図形を生成してもよい。この場合、表示制御部１１０ａが、データ取得部１０２ａが取得した対象領域に人が存在する時間帯を示した情報に基づいて、対象領域に人が存在する時間帯についてのみ関連情報を表す図形を表示する制御を行う。
【０１０４】
実施の形態３．
この実施の形態３では、上述した実施の形態２で示した構成に加え、複数の対象領域の表示結果の合計を長期的に把握可能に表示する構成を示す。ここで、複数の対象領域の表示結果の合計とは、例えば複数の対象領域である複数のフロアを有するビル全体の消費電力等である。複数の対象領域の表示結果の合計を長期的に把握可能な表示（以下、概要表示という）は、時間軸方向に移動可能に表示する、設定された表示期間を表示装置２０３の１つの画面に収まるように表示する、または特定の期間の詳細情報を表示する等を可能にする。
【０１０５】
図１８は、実施の形態３に係る表示制御装置１００Ｂの構成を示すブロック図である。
実施の形態３の表示制御装置１００Ｂは、実施の形態２で示した表示制御装置１００Ａに図形変形部１１３を追加して設けている。また、実施の形態２で示したパラメータ記憶部１０５、図形生成部１０６ａ、設計値図形生成部１０７、実績値図形生成部１０８、表示データ記憶部１０９ａおよび表示制御部１１０ａに替えて、パラメータ記憶部１０５ａ、図形生成部１０６ｂ、設計値図形生成部１０７ａ、実績値図形生成部１０８ａ、表示データ記憶部１０９ｂおよび表示制御部１１０ｂを備えて構成している。なお、以下では、実施の形態２に係る表示制御装置１００Ａの構成要素と同一または相当する構成には、実施の形態２で使用した符号と同一の符号を付して説明を省略または簡略化する。
【０１０６】
パラメータ記憶部１０５ａは、実施の形態１で示したパラメータに加えて、以下のパラメータを格納する。
概要表示時間軸パラメータ：概要表示を行う時間軸の目盛の単位
拡大パラメータ：対象領域全体の設計値および実績値を表す図形において指定された領域を拡大表示する際の拡大率
また、実施の形態１で示した時間軸パラメータ、対象領域パラメータ、設計値図形パラメータ、閾値パラメータ、幅オフセットパラメータ、高さオフセットパラメータおよび表示パラメータには、概要表示に関するパラメータが設定される。
【０１０７】
図形生成部１０６ｂは、設計値図形生成部１０７ａ、実績値図形生成部１０８ａ、関連図形生成部１１１および表示データ記憶部１０９ｂを備えて構成される。
設計値図形生成部１０７ａは、実施の形態１で示した構成に加えて、対象領域全体の設計値の合計値を表す図形を生成する。設計値図形生成部１０７ａは、各対象領域の設計値を合計して、対象領域全体の設計値を算出する。設計値図形生成部１０７ａは、パラメータに基づいて、予め設定された単位時間毎に対象領域全体の設計値を表す図形を生成する。設計値図形生成部１０７ａは、生成した対象領域全体の設計値を表す図形の位置座標を算出する。設計値図形生成部１０７ａは、算出した対象領域全体の設計値を表す図形の位置座標、および時間軸の単位時間を表示データ記憶部１０９ｂに記憶させると共に、算出した対象領域全体の設計値を表す図形の位置座標を実績値図形生成部１０８ａに出力する。
【０１０８】
実績値図形生成部１０８ａは、実施の形態１で示した構成に加えて、対象領域の実績値の合計値を表す図形を生成する。実績値図形生成部１０８ａは、パラメータに基づいて、設計値図形生成部１０７ａから入力された対象領域全体の設計値を表す図形を調整する。実績値図形生成部１０８ａは、調整した対象領域全体の設計値と、図形生成部１０６ｂが取得した実績値データで示された実績値の合計値との比率を算出する。実績値図形生成部１０８ａは、算出した比率と、調整した対象領域全体の設計値を表す図形の位置座標とに基づいて、予め設定された単位時間毎に対象領域全体の実績値を表す図形を生成する。実績値図形生成部１０８ａは、生成した対象領域全体の実績値を表す図形の位置座標を算出する。実績値図形生成部１０８ａは、算出した対象領域全体の実績値を表す図形の位置座標を表示データ記憶部１０９ｂに記憶させる。
【０１０９】
表示データ記憶部１０９ｂは、設計値図形生成部１０７ａから入力された各対象領域の設計値、および対象領域全体の設計値の合計値を表す図形の位置座標を格納する記憶領域である。表示データ記憶部１０９ｂは、実績値図形生成部１０８ａから入力された各対象領域の実績値、および対象領域全体の実績値の合計値を表す図形の位置座標を格納する記憶領域である。表示データ記憶部１０９ｂは、関連情報を表す図形の位置座標を格納する記憶領域である。
【０１１０】
表示制御部１１０ｂは、実施の形態２で示した構成に加えて、表示データ記憶部１０９ｂに格納された対象領域全体の設計値の合計値を表す図形の位置座標、および対象領域全体の実績値の合計値を表す図形の位置座標に基づいて、対象領域全体の設計値の合計値を表す図形および対象領域全体の実績値の合計値を表す図形を表示装置２０３に表示するための制御を行う。表示制御部１１０ｂは、パラメータ記憶部１０５ａから取得した表示パラメータおよび配置パラメータと、関連図形パラメータ記憶部１１２から取得した関連図形の表示パラメータおよび関連図形の配置パラメータとに基づいて、図形を表示するための表示制御を行う。
【０１１１】
図形変形部１１３は、入力受付部１０４が受け付けたユーザ操作に応じて、指定された期間の対象領域毎の設計値、実績値および関連情報を表す図形を表示装置２０３に表示するための制御を行う。
また、図形変形部１１３は、入力受付部１０４が受け付けたユーザ操作に応じて、表示している対象領域全体の設計値および実績値を表す図形のうち、指定された期間の図形を拡大し、指定された期間以外の図形を縮小して、表示装置２０３に表示するための制御を行う。具体的には、図形変形部１１３は、表示している対象領域全体の設計値および実績値を表す図形に対して、拡大表示する期間が指定または選択されると、パラメータ記憶部１０５ａに格納された拡大パラメータで示された拡大率で指定または選択された期間の対象領域全体の設計値および実績値を表す図形を拡大する。
【０１１２】
図形変形部１１３は、時間軸方向のみに図形を拡大する。即ち、設計値を表す図形の高さおよび実績値を表す図形の高さは変化させない。また、図形変形部１１３は、指定または選択された拡大表示する期間以外の期間は特に拡大しない、または適宜縮小させる。入力受付部１０４は、拡大表示する期間の指定または選択の入力として、例えば「毎週水曜日」または「毎年８月から１０月」など、特定の期間を繰り返して表示する設定可能であり、時間軸上に複数の拡大表示する期間が存在してもよい。この場合、図形変形部１１３は、繰り返して表示する複数の期間全てに、拡大率を適用して表示する制御を行う。
【０１１３】
表示制御装置１００Ｂのハードウェア構成例を説明する。なお、実施の形態１および実施の形態２と同一の構成の説明は省略する。
表示制御装置１００Ｂにおけるパラメータ記憶部１０５ａ、図形生成部１０６ｂ、設計値図形生成部１０７ａ、実績値図形生成部１０８ａ、表示データ記憶部１０９ｂ、表示制御部１１０ｂおよび図形変形部１１３は、図２Ａで示した処理回路１００ｂ、または図２Ｂで示したメモリ１００ｄに格納されるプログラムを実行するプロセッサ１００ｃである。
【０１１４】
次に、表示制御装置１００Ｂの具体的な表示制御例を図１９および図２０に示す。
図１９および図２０は、実施の形態３に係る表示制御装置１００Ｂの表示制御の一例を示す図である。
図１９は、対象領域全体の設計値および実績値を表す図形および対象領域毎の設計値および実績値を表す図形の表示例を示す。
図１９Ａは、対象領域全体の設計値および実績値を表す図形であり、ビル全体の消費電力を示している。
表示期間は、２０１６年４月から２０１８年３月までである。対象領域全体の設計値および実績値を表す図形の表示期間は、表示データ記憶部１０９ｂに記憶された情報の全期間であってもよいし、ユーザが指定した期間であってもよい。表示制御部１１０ｂは、対象領域全体の設計値および実績値を表す図形が、表示装置２０３の１つの画面内に収まるように座標変換を行う。
【０１１５】
図１９Ａの表示の時間軸上で、特定の日／週／月／年等を指定すると、指定された日／週／月／年等について対象領域毎の設計値、実績値および関連情報を表す図形（図１９Ｂ参照）が、表示される。なお、図１９Ｂの表示では、実施の形態１または実施の形態２と同様に、対象領域毎の実績値を表す図形、設計値を表す図形および関連情報を表す図形を、表示するか、非表示にするかを切り換える制御を行うことができる。また、実績値を表す図形と設計値を表す図形の描画順序の切り替える制御、設計値を表す図形、実績値を表す図形およびを関連情報表す図形を時間軸方向に移動させて表示させる制御を行うことができる。時間軸の１目盛の長さ、または時間軸の目盛の単位時間を変更することができる。
【０１１６】
図２０は、実施の形態３に係る表示制御装置１００Ｂの表示制御の一例を示す図である。
図２０は、図１９Ａで示した図形の拡大表示後の対象領域全体の設計値および実績値を表す図形を示している。
図１９Ａでは表示期間として２０１６年４月から２０１８年３月までと指定された場合を示している。図１９Ａで表示した図形において、毎年６月から１０月が拡大表示の対象として設定された場合、図２０に示す図形が表示される。図２０では、２０１６年６月から１０月、および２０１７年６月から１０月の期間は、目盛の幅がその他の期間と比較して長く設定され、設計値を表す図形および実績値を表す図形が時間軸方向に拡大される。即ち、設計値を表す図形および実績値を表す図形は、横幅のみ拡大され、縦幅は変化しない。図形変形部１１３は、図１９Ａに示した図形を、図２０に示した図形に変形するように、各図形の座標変換を行う。
【０１１７】
次に、表示制御装置１００Ｂの動作について説明する。
なお、表示制御装置１００Ｂ全体の動作は、実施の形態２と同様であるため、説明を省略する。
図２１は、実施の形態３に係る表示制御装置１００Ｂの設計値図形生成部１０７ａの動作を示すフローチャートである。
図１２のフローチャートのステップＳＴ４およびステップＳＴ５で示した設計値図形生成部１０７ａの動作のうち、対象領域全体の設計値および実績値を表す図形を生成する処理について、図２１を参照しながら説明する。
【０１１８】
設計値図形生成部１０７ａは、図形生成部１０６ｂが取得した対象期間パラメータおよび概要表示時間軸パラメータに基づいて、図形を生成する期間および時間軸の単位時間を設定する（ステップＳＴ１０１）。設計値図形生成部１０７ａは、各対象領域の設計値データを用いて、対象領域全体の単位時間毎の設計値を取得または算出する（ステップＳＴ１０２）。図２０の例では、ビル全体の消費電力の単位時間毎の設計値を取得または算出する。なお、対象領域全体の設計値データが存在する場合には、当該設計値データから単位時間毎の対象領域全体の設計値を取得または算出する。設計値図形生成部１０７ａは、ステップＳＴ１０２で取得した単位時間毎の対象領域全体の設計値の最大値および最小値を取得する（ステップＳＴ１０３）。
【０１１９】
設計値図形生成部１０７ａは、ステップＳＴ１０３で取得した設計値の最大値および最小値が、図形生成部１０６ｂが取得した設計値図形パラメータの概要表示に関するパラメータの範囲内となるように、単位時間毎の対象領域全体の設計値を表す矩形の高さを算出する（ステップＳＴ１０４）。設計値図形生成部１０７ａは、図形生成部１０６が取得した目盛最大個数パラメータに基づいて、矩形の幅を算出する（ステップＳＴ１０５）。設計値図形生成部１０７ａは、ステップＳＴ１０４で算出した矩形の高さ、およびステップＳＴ１０５で算出した矩形の幅に基づいて、対象領域全体の設計値を表す矩形図形を生成する（ステップＳＴ１０６）。
【０１２０】
設計値図形生成部１０７ａは、ステップＳＴ１０６で生成した対象領域全体の設計値を表す矩形図形の位置座標を算出し、表示データ記憶部１０９ｂに記憶させると共に、実績値図形生成部１０８ａに出力し（ステップＳＴ１０７）、処理を終了する。
【０１２１】
図２２は、実施の形態３に係る表示制御装置１００Ｂの実績値図形生成部１０８ａの動作を示すフローチャートである。
図１２のフローチャートのステップＳＴ６およびステップＳＴ７で示した実績値図形生成部１０８ａの動作のうち、対象領域全体の設計値および実績値を表す図形を生成する処理について、図２２を参照しながら説明する。
実績値図形生成部１０８ａは、設計値図形生成部１０７ａから入力された対象領域全体の設計値を表す矩形図形の位置座標と、幅オフセットパラメータと、高さオフセットパラメータとに基づいて、対象領域全体の設計値を表す矩形図形を調整する（ステップＳＴ１１１）。
【０１２２】
実績値図形生成部１０８ａは、図形生成部１０６ｂが取得した各対象領域の設計値データおよび実績値データを用いて、対象領域全体の単位時間毎の設計値および実績値を取得する（ステップＳＴ１１２）。図２０の例では、ビル全体の消費電力の単位時間毎の設計値および実績値を取得する。なお、対象領域全体の設計値データおよび実績値データが存在する場合には、当該設計値データおよび実績値データから単位時間毎の対象領域全体の設計値を取得または算出する。
【０１２３】
実績値図形生成部１０８ａは、ステップＳＴ１１２で取得した設計値と実績値との差の絶対値と、閾値パラメータの概要表示に関するパラメータとを比較し、設計値と実績値との差の絶対値が閾値パラメータの概要表示に関するパラメータ未満であるか否か判定を行う（ステップＳＴ１１３）。設計値と実績値との差の絶対値が閾値パラメータ未満である場合（ステップＳＴ１１３；ＹＥＳ）、実績値図形生成部１０８ａは、ステップＳＴ１１１で調整した矩形図形に内接する楕円図形を生成する（ステップＳＴ１１４）。一方、設計値と実績値との差の絶対値が閾値パラメータ未満でない場合（ステップＳＴ１１３；ＮＯ）、実績値図形生成部１０８ａは、設計値と実績値との比率を算出する（ステップＳＴ１１５）。
【０１２４】
実績値図形生成部１０８ａは、設計値が実績値より大きいか否か判定を行う（ステップＳＴ１１６）。設計値が実績値より大きい場合（ステップＳＴ１１６；ＹＥＳ）、実績値図形生成部１０８ａは、ステップＳＴ１１１で調整した矩形図形に内接する楕円の高さ方向の長さを、ステップＳＴ１１４で算出した比率に応じて短く設定した楕円図形を生成する（ステップＳＴ１１７）。
一方、設計値が実績値より大きくない場合（ステップＳＴ１１６；ＮＯ）、実績値図形生成部１０８ａは、ステップＳＴ１１１で調整した矩形図形に内接する楕円の高さ方向の長さを、ステップＳＴ１１５で算出した比率に応じて長く設定した楕円図形または円図形を生成する（ステップＳＴ１１８）。
【０１２５】
実績値図形生成部１０８ａは、ステップＳＴ１１４、ステップＳＴ１１７またはステップＳＴ１１８で生成した楕円図形または円図形の位置座標を算出し、位置座標を表示データ記憶部１０９ｂに記憶させる（ステップＳＴ１１９）。実績値図形生成部１０８ａは、全ての時間帯について処理を行ったか否か判定を行う（ステップＳＴ１２０）。処理中の対象領域の全ての時間について処理を行っていない場合（ステップＳＴ１２０；ＮＯ）、実績値図形生成部１０８ａはステップＳＴ１１２の処理に戻り、上述した処理を繰り返す。一方、全ての時間について処理を行った場合（ステップＳＴ１２０；ＹＥＳ）、実績値図形生成部１０８ａは処理を終了する。
なお、実施の形態１と同様に、実績値図形生成部１０８ａは、設計値に対する実績値の比率に基づいて、実績値を表す図形の大きさを算出してもよい。
【０１２６】
表示制御部１１０ｂは、実施の形態２で示した表示処理に加え、実施の形態２の図１５のフローチャートで示したステップＳＴ５２の処理を、対象領域全体の設計値を表す矩形図形、実績値を表す楕円図形または円図形に対して行う。これにより、図１９Ａに示す対象領域全体の設計値および実績値を表す図形が表示される。
【０１２７】
次に、表示装置２０３に表示されている対象領域全体の設計値および実績値を表す図形に対して、拡大表示する期間が指定または選択された場合の動作について説明する。
図２３は、実施の形態３に係る表示制御装置１００Ｂの図形変形部１１３の動作を示すフローチャートである。
図形変形部１１３は、入力受付部１０４から拡大表示する期間を指定または選択する情報の入力を受け付ける（ステップＳＴ１３１）。図形変形部１１３は、表示制御部１１０ｂが現在表示制御を行っている対象領域全体の、設計値および実績値を表す図形の位置座標を、表示データ記憶部１０９ｂから取得する（ステップＳＴ１３２）。図形変形部１１３は、パラメータ記憶部１０５ａに記憶された拡大パラメータに基づいて指定または選択された期間の図形を拡大させ、当該期間以外の図形を縮小させるように、ステップＳＴ１３２で取得した位置座標を変換する（ステップＳＴ１３３）。
【０１２８】
図形変形部１１３は、入力受付部１０４を介して、表示期間を設定する情報が入力されているか否か判定を行う（ステップＳＴ１３４）。表示期間を設定する情報が入力されていない場合（ステップＳＴ１３４；ＮＯ）、図形変形部１１３はステップＳＴ１３６の処理に進む。一方、表示期間を設定する情報が入力されている場合（ステップＳＴ１３４；ＹＥＳ）、図形変形部１１３は、設定された表示期間が、表示装置２０３の一つの画面内に収まるように、対象領域全体の設計値および実績値を表す図形の位置座標を変換する（ステップＳＴ１３５）。図形変形部１１３は、ステップＳＴ１３３またはステップＳＴ１３４で変換した位置座標の図形の表示制御条件を生成して表示装置２０３に出力し（ステップＳＴ１３６）、処理を終了する。
【０１２９】
なお、上述した実施の形態３では、対象領域全体の設計値および実績値を表す図形と、対象領域毎の設計値および実績値を表す図形とを表示する場合を例に示した。しかし、当該構成に限定されるものではなく、表示制御部１１０ｂは、対象領域全体の設計値および実績値を表す図形のみを表示する、対象領域毎の設計値および実績値を表す図形を表示する、または対象領域全体の設計値および実績値を表す図形および対象領域毎の設計値および実績値を表す図形を表示する、のいずれかのパターンを選択して表示する制御を行ってもよい。
【０１３０】
以上のように、この実施の形態３によれば、図形生成部１０６ｂが、複数の対象領域における設計値の合計値を表す図形と、実績値の合計値を表す図形とを生成し、表示制御部１１０ｂが、生成された複数の対象領域の設計値の合計値を表す図形および複数の対象領域の実績値の合計値を表す図形を、表示装置２０３の同一画面内に表示する制御を行うように構成したので、対象領域の設計値の合計値と、対象領域の実績値の合計値とを、対象領域毎の設計値と、対象領域毎の実績値を表示している画面と同一画面で把握することができる。
【０１３１】
また、この実施の形態３によれば、現在表示制御されている複数の対象領域の設計値の合計値および実績値の合計値を表す図形のうち、指定された期間の図形を拡大し、指定された期間以外の図形を縮小して表示する制御を行う図形変形部１１３を備えるように構成したので、対象領域の設計値の合計値および対象領域の実績値の合計値を示す図において、ユーザが詳細に確認したい期間の図形を拡大して表示することができる。これにより、適切な情報をユーザに提供することができる。
【０１３２】
なお、上述した実施の形態３では、実施の形態２の表示制御装置１００Ａに図形変形部１１３を追加して設ける構成を示したが、実施の形態１の表示制御装置１００に図形変形部１１３を適用してもよい。
【０１３３】
なお、上述した実施の形態１から実施の形態３では、消費電力および室内外の各種データ等、センサ等で計測された各種データを、ネットワークを介して、データ収集装置２０１から取得する構成を示した。しかし、当該構成に限定されるものではなく、表示制御装置１００，１００Ａ，１００Ｂは、ネットワークを介さずに各種データをＵＳＢまたはＤＶＤ等の媒体から直接読み込む構成としてもよい。また、表示制御装置１００，１００Ａ，１００Ｂは、外部または内部の記憶領域に格納された各種データを読み込む構成としてもよい。また、各種データが、気温等、外部のサイトから取得できるデータである場合には、表示制御装置１００，１００Ａ，１００Ｂは、データ収集装置２０１を介すことなく、外部サイトから取得する構成としてもよい。
【０１３４】
また、上述した実施の形態１から実施の形態３では、設計値を表す図形を矩形、実績値を表す図形を楕円または円とする場合を示したが、図形は矩形、楕円、または円に限定されるものではない。設計値を表す図形と、実績値を表す図形とを重畳表示した場合に、２つの図形を区別可能な形状であれば、任意に適用することができる。
【０１３５】
また、上述した実施の形態２および実施の形態３では、関連情報を表す図形を線分とする場合を示したが、図形は線分に限定されるものではなく、設計値を表す図形および実績値を表す図形と区別可能な形状であれば任意に適用することができる。この場合、図１６で示したフローチャートのステップＳＴ９４で示した線分図形の太さの設定は、図形の高さの設定に置き換える。
【０１３６】
また、上述した実施の形態１から実施の形態３では、ビルの電力消費状態を可視化するために、各対象領域の消費電力を表示する場合を例に説明したが、状態情報は消費電力に限定されるものではなく、任意に設定することができる。
【０１３７】
また、上述した実施の形態１から実施の形態３では、表示制御装置１００，１００Ａ，１００Ｂがデータ記憶部１０３，１０３ａ、パラメータ記憶部１０５，１０５ａ、表示データ記憶部１０９，１０９ａ，１０９ｂおよび関連図形パラメータ記憶部１１２、を備える構成を示したが、これらの記憶領域は、表示制御装置１００，１００Ａ，１００Ｂ外部の記憶領域であってもよい。
【産業上の利用可能性】
【０１３８】
この発明に係る技術は、ビル等の消費電力を監視する監視システム等、監視対象の状態を監視するシステム等に適用するのが好ましい。
【符号の説明】
【０１３９】
１００，１００Ａ，１００Ｂ  表示制御装置、１０１  通信部、１０２，１０２ａ  データ取得部、１０３，１０３ａ  データ記憶部、１０４  入力受付部、１０５，１０５ａ  パラメータ記憶部、１０６，１０６ａ，１０６ｂ  図形生成部、１０７，１０７ａ  設計値図形生成部、１０８，１０８ａ  実績値図形生成部、１０９，１０９ａ，１０９ｂ  表示データ記憶部、１１０，１１０ａ，１１０ｂ  表示制御部、１１１  関連図形生成部、１１２  関連図形パラメータ記憶部、１１３  図形変形部。
【図１】
0006861913.tif 000002
【図２】
0006861913.tif 000003
【図３】
0006861913.tif 000004
【図４】
0006861913.tif 000005
【図５】
0006861913.tif 000006
【図６】
0006861913.tif 000007
【図７】
0006861913.tif 000008
【図８】
0006861913.tif 000009
【図９】
0006861913.tif 000010
【図１０】
0006861913.tif 000011
【図１１】
0006861913.tif 000012
【図１２】
0006861913.tif 000013
【図１３】
0006861913.tif 000014
【図１４】
0006861913.tif 000015
【図１５】
0006861913.tif 000016
【図１６】
0006861913.tif 000017
【図１７】
0006861913.tif 000018
【図１８】
0006861913.tif 000019
【図１９】
0006861913.tif 000020
【図２０】
0006861913.tif 000021
【図２１】
0006861913.tif 000022
【図２２】
0006861913.tif 000023
【図２３】
0006861913.tif 000024